(57)【要約】【目的】害虫の種類、数等が監視でき、害虫駆除方法が容易に判断でき、害虫駆除が効果的にできる監視システムを提供することを目的とする。【構成】監視システムは、害虫を捕虫する害虫捕虫装置１、前記害虫捕虫装置１で捕虫した害虫を撮影する監視カメラ２、前記監視カメラ２からの映像を格納する映像格納装置３、前記映像格納装置３からの映像をネットワーク５を介して接続する端末装置４、前記監視カメラ２からの映像により捕虫した害虫を端末装置４に表示することである。【選択図】  図１
2004261155.tif 000002
【特許請求の範囲】
【請求項１】
害虫を捕虫する害虫捕虫装置、前記害虫捕虫装置で捕虫した害虫を撮影する監視カメラ、前記監視カメラからの映像を格納する映像格納装置、前記映像格納装置からの映像をネットワークを介して接続する端末装置、前記監視カメラからの映像により捕虫した害虫を端末装置に表示することを特徴とする害虫の監視システム。
【請求項２】
害虫捕虫装置は、表面に害虫を捕獲する１色からなる粘着層を有し、縦横の線分により等面積に区分されていることを特徴とする請求項１記載の害虫の監視システム。
【請求項３】
端末装置には、捕虫した害虫の映像を表示する表示手段、害虫の色を認識する害虫認識手段、捕虫した害虫の範囲を指定する範囲指定手段、捕虫した害虫の範囲での害虫数をカウントする害虫数カウント手段、害虫数を表示する害虫数表示手段を有することを特徴とする請求項１、２記載の害虫の監視システム。
【発明の詳細な説明】
【０００１】
【産業上の利用分野】
本発明は害虫の監視システム、詳しくは、害虫捕虫装置で捕虫した害虫を監視カメラで撮影し、この映像を端末装置に表示する害虫の監視システムに関する。
【０００２】
【従来の技術】
従来、監視システムとしては、屋内外の状況を監視カメラで撮影し、携帯電話や固定電話で監視する監視システムがある（特許文献１参照）。
【０００３】
【特許文献１】特開２００１−２９２４４２号公報
【０００４】
この様な監視システムでは、単に、不審者の侵入、火災等の異常が発生した際、そのような異常を監視することができるが、害虫の種類や数は監視できない。
【０００５】
【発明が解決しようとする課題】
害虫の種類、数等が監視できれば、今後の害虫駆除に役立つばかりでなく、どのような害虫駆除方法が効果的かまで判断でき、害虫駆除が効果的となる。
【０００６】
本発明は、かかる点に鑑みなされたもので、害虫の種類、数等が監視でき、害虫駆除方法が容易に判断でき、害虫駆除が効果的にできる監視システムを提供することを目的とする。
【０００７】
【課題を解決するための手段】
上記目的を達成すべく、本発明にかかる監視システムは、害虫を捕虫する害虫捕虫装置、前記害虫捕虫装置で捕虫した害虫を撮影する監視カメラ、前記監視カメラからの映像を格納する映像格納装置、前記映像格納装置からの映像をネットワークを介して接続する端末装置、前記監視カメラからの映像により捕虫した害虫を端末装置に表示することを特徴とする。
【０００８】
この監視システムでは、害虫捕虫装置で害虫を捕虫すると、その状態が監視カメラで撮影され、監視カメラからの映像が映像格納装置に格納される。
映像格納装置はネットワークを介して端末装置に接続しているので、監視カメラからの映像により捕虫した害虫を端末装置に表示することができ、害虫の種類、数等が監視できる。
【０００９】
害虫捕虫装置は、表面に害虫を捕獲する１色からなる粘着層を有し、縦横の線分により等面積に区分されていることが好ましい。
害虫を捕獲する粘着層は１色なので、表面に害虫が捕獲されていれば、捕獲状況が解り易く、等面積に区分されていると、単位面積あたりの害虫の数が判断しやすい。
【００１０】
端末装置には、捕虫した害虫の映像を表示する表示手段、害虫の色を認識する害虫認識手段、捕虫した害虫の範囲を指定する範囲指定手段、捕虫した害虫の範囲での害虫数をカウントする害虫数カウント手段、害虫数を表示する害虫数表示手段を有することが好ましい。
害虫数を表示する害虫数表示手段により、容易に害虫の数が解り、害虫駆除方法が容易に判断でき、害虫駆除が効果的にできる。
【００１１】
【発明の実施の形態】
本発明にかかる一実施例を図１乃至図６に基ずいて説明する。
害虫の監視システムは、図１に示す様に、害虫を捕虫する害虫捕虫装置１、害虫捕虫装置１で捕虫した害虫を撮影する監視カメラ２、監視カメラ２からの映像を格納する映像格納装置３、映像格納装置３からの映像をネットワーク５を介して接続する端末装置４、監視カメラ２からの映像により捕虫した害虫を端末装置４に表示する。
【００１２】
害虫捕虫装置１は害虫を誘引する誘引ランプ（図示せず）と誘引した害虫を捕獲する粘着シート１ａを有している。
この粘着シート１ａは、図２に示す様に、表面に害虫を捕獲する１色からなる粘着層を有し、縦横の線分により等面積に区分されていることが好ましい。
【００１３】
かかる粘着シート１ａでは、粘着層が１色なので、捕獲した害虫との色バランスが解りやすい。
また、縦横の線分１ｂにより等面積に区分されているいるので、単位面積あたりの害虫捕獲量が一目瞭然で解りやすい。
【００１４】
監視カメラ２は害虫捕虫装置１で捕虫した害虫を撮影することができるように、害虫捕虫装置１の近辺に設置され、定期的に捕虫した害虫を撮影するべく設定されている。
この監視カメラ２は誘引ランプの光源だけでも十分撮影できる機能を有しているが、暗い状態でも撮影可能な様に、赤外線用ＣＣＤ素子を装着しても良い。
【００１５】
映像格納装置３は監視カメラ２の映像を格納する装置で、ネットワークに接続する為のサーバ、端末装置使用者を認証するための認証サーバ、ユーザ情報など各種データーベースを管理するデーターベース、サーバ機能をもつコンピューターとしても良い。
【００１６】
映像格納装置３は本実施例ではコンピューターで、本願の監視システムの各機能を実現させる為のプログラムが格納され、ネットワーク５として無線、有線に限らず専用回線、電話回線などに接続されたインターネットなどに接続されている。
【００１７】
この映像格納装置３には、監視カメラ２が撮影した映像である、害虫捕虫装置１の映像が格納されている。
映像格納装置３には、監視カメラ２が定期的に撮影する映像が格納され、ネッワーク５を介して端末装置４が接続されている
【００１８】
端末装置４としてはパーソナルコンピューターで、このパーソナルコンピューターであれば、ネッワーク５を介して映像格納装置３に接続することができ、パーソナルコンピューターのキー入力により、映像格納装置３に格納されている害虫の画像をパーソナルコンピューターの表示部に表示して、監視カメラ２からの映像を閲覧する事ができる。
【００１９】
この端末装置４であるパーソナルコンピューターには、図３に示す様に、捕虫した害虫の映像を表示する表示手段４１、害虫の色を認識する害虫認識手段４２、捕虫した害虫の範囲を指定する範囲指定手段４３、捕虫した害虫の範囲での害虫数をカウントする害虫数カウント手段４４、害虫数を表示する害虫数表示手段４５を有するプログラムが設定されている。
【００２０】
かかる監視システムによれば、パーソナルコンピューターのキー入力により、ネットワーク５を介して映像格納装置３に接続する事ができる。
そして、監視カメラ２が撮影した映像を表示手段４１により表示し、害虫の色を認識する害虫認識手段４２により、害虫を認識する。
図４に示す様に、撮影した映像には害虫を捕獲した粘着シート１ａが撮影されているが、この粘着シート１ａの粘着層が１色なので、捕獲した害虫との色バランスが明瞭で、害虫の色の認識がしやすい。
粘着シート１ａの色としては、黒っぽい害虫と比較し易いように、明るい色が好ましく、例えば緑色、黄色等である。
【００２１】
その後、捕虫した害虫の範囲を範囲指定手段４３により指定する。粘着シート１ａは、縦横の線分１ｂにより等面積に区分されているいるので、害虫の範囲を範囲指定手段４３により指定しやすくなる。
【００２２】
捕虫した害虫の範囲を範囲指定手段４３により指定した後、図５に示す様に、捕虫した害虫の範囲での害虫数を害虫数カウント手段４４によりカウントする。害虫数をカウントした後は、図６に示す様に、害虫数表示手段４５により害虫数を表示すると、害虫の数が具体的に表示されるので、害虫駆除が行ない易い。
【００２３】
また、監視カメラ２が撮影した映像を表示手段４１により表示する事ができるので、害虫の種類がわかり、的確に駆除方法を行なえる。
【００２４】
【発明の効果】
本発明によれば、害虫を捕虫する害虫捕虫装置、前記害虫捕虫装置で捕虫した害虫を撮影する監視カメラ、前記監視カメラからの映像を格納する映像格納装置、前記映像格納装置からの映像をネットワークを介して接続する端末装置、前記監視カメラからの映像により捕虫した害虫を端末装置に表示することができるので、害虫捕虫装置で害虫を捕虫すると、その状態が監視カメラで撮影され、監視カメラからの映像が映像格納装置に格納され、映像格納装置はネットワークを介して端末装置に接続しているので、監視カメラからの映像により捕虫した害虫を端末装置に表示することができ、害虫の種類、数等が監視できる。
【００２５】
又、害虫捕虫装置は、表面に害虫を捕獲する１色からなる粘着層を有し、縦横の線分により等面積に区分されていることが好ましい。
かかる監視システムでは、害虫を捕獲する粘着層は１色なので、表面に害虫が捕獲されていれば、捕獲状況が解り易く、等面積に区分されていると、単位面積あたりの害虫の数が判断しやすい。
【００２６】
端末装置には、捕虫した害虫の映像を表示する表示手段、害虫の色を認識する害虫認識手段、捕虫した害虫の範囲を指定する範囲指定手段、捕虫した害虫の範囲での害虫数をカウントする害虫数カウント手段、害虫数を表示する害虫数表示手段を有することが好ましい。
かかる監視システムでは、害虫数を表示する害虫数表示手段により、容易に害虫の数が解り、害虫駆除方法が容易に判断でき、害虫駆除が効果的にできる。
【図面の簡単な説明】
【図１】本発明にかかる一実施例の監視システムの説明図である。
【図２】図１に示す害虫捕虫装置の斜視図である。
【図３】図１に示す端末装置の説明図ある。
【図４】図１に示す端末装置の映像である。
【図５】図１に示す端末装置の映像ある。
【図６】図１に示す端末装置の映像である。
【符号の説明】
害虫捕虫装置  １
監視カメラ    ２
映像格納装置  ３
端末装置      ４
ネットワーク  ５
【図１】
2004261155.tif 000003
【図２】
2004261155.tif 000004
【図３】
2004261155.tif 000005
【図４】
2004261155.tif 000006
【図５】
2004261155.tif 000007
【図６】
2004261155.tif 000008